(57)【特許請求の範囲】
【請求項１】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、
前記プロジェクタ本体および前記画像出力装置の回転位置を検出するための回転位置検出手段と、
前記プロジェクタ本体を制御する制御手段とを備え、
前記制御手段は、
前記回転位置検出手段の検出結果に基づいて、前記プロジェクタ本体および前記画像出力装置の回転速度を算出する回転速度算出部と、
前記回転速度算出部により算出される回転速度が所定速度より大きいか否かを判定する調整判定部と、
前記調整判定部により、前記回転速度が前記所定速度より大きいと判定されると、前記投射光学装置から射出される光の輝度を低くするように調整する輝度調整部とを備えることを特徴とするプロジェクタ。
【請求項２】
請求項１に記載のプロジェクタにおいて、
前記輝度調整部は、
前記投射光学装置から射出される光の輝度を調整した後、前記回転速度が前記所定速度より小さくなったときにおいても当該調整を維持することを特徴とするプロジェクタ。
【請求項３】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、
前記プロジェクタ本体および前記画像出力装置の回転位置を検出するための回転位置検出手段と、
前記プロジェクタ本体を制御する制御手段とを備え、
前記制御手段は、
前記回転位置検出手段の検出結果に基づいて、基準回転位置を認識する基準回転位置認識部と、
前記回転位置検出手段の検出結果に基づいて、前記基準回転位置認識部により認識される基準回転位置からの回転角度を算出する回転角度算出部と、
前記回転角度算出部により算出される回転角度が所定角度より大きいか否かを判定する調整判定部と、
前記調整判定部により、前記回転角度が前記所定角度より大きいと判定されると、前記投射光学装置から射出される光の輝度を低くするように調整する輝度調整部とを備えることを特徴とするプロジェクタ。
【請求項４】
請求項１に記載のプロジェクタにおいて、
前記制御手段は、
前記回転速度算出部により算出される回転速度が所定速度より大きくなった後、当該回転速度が当該所定速度より小さくなったときに、画質調整をするための所定の画像情報を前記光変調装置に対して出力する調整用画像出力部とを備えることを特徴とするプロジェクタ。
【請求項５】
請求項１から請求項４のいずれかに記載のプロジェクタにおいて、
前記輝度調整部は、前記光変調装置を制御することで前記投射光学装置から射出される光の輝度を調整することを特徴とするプロジェクタ。
【請求項６】
請求項１から請求項５のいずれかに記載のプロジェクタにおいて、
前記投射光学装置から射出される光を遮蔽可能とする遮蔽部材を備え、
前記輝度調整部は、前記遮蔽部材を制御することで前記投射光学装置から射出される光の輝度を調整することを特徴とするプロジェクタ。
【請求項７】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、
前記プロジェクタ本体および前記画像出力装置の回転位置を検出するための回転位置検出手段の検出結果に基づいて、前記プロジェクタ本体および前記画像出力装置の回転速度を算出する回転速度算出ステップと、
前記回転速度算出ステップにて算出される回転速度が所定速度より大きいか否かを判定する調整判定ステップと、
前記調整判定ステップにて、前記回転速度が前記所定速度より大きいと判定されると、前記投射光学装置から射出される光の輝度を低くするように調整する輝度調整ステップとを含むことを特徴とする輝度調整方法。
【請求項８】
光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、
前記プロジェクタ本体および前記画像出力装置の回転位置を検出するための回転位置検出手段の検出結果に基づいて、基準回転位置を認識する基準回転位置認識ステップと、
前記回転位置検出手段の検出結果に基づいて、前記基準回転位置認識ステップにより認識される基準回転位置からの回転角度を算出する回転角度算出ステップと、
前記回転角度算出ステップにて算出される回転角度が所定角度より大きいか否かを判定する調整判定ステップと、
前記調整判定ステップにて、前記回転角度が前記所定角度より大きいと判定されると、前記投射光学装置から射出される光の輝度を低くするように調整する輝度調整ステップとを含むことを特徴とする輝度調整方法。
【発明の詳細な説明】
【技術分野】
【０００１】
本発明は、プロジェクタおよび輝度調整方法に関する。
【背景技術】
【０００２】
従来、光源から射出された光を、入力される画像情報に応じて変調して光学像を形成する光変調装置と、形成した光学像を拡大投射する投射光学装置とを備えるプロジェクタ本体と、このプロジェクタ本体に画像情報を出力する画像出力装置とを備え、プロジェクタ本体および画像出力装置が相対回転可能に構成されるプロジェクタが知られている（例えば、特許文献１参照）。
特許文献１に記載のプロジェクタでは、ＤＶＤ（Digital Versatile Disk）再生部（画像出力装置）の上方に設けられた連結部を介して投射部（プロジェクタ本体）が連結され、ＤＶＤ再生部に対して投射部が相対回転可能に構成されている。これにより、投射レンズ（投射光学装置）から射出される光の投射方向を変更することができる。
【０００３】
【特許文献１】特開２００５−９９６１７号公報
【発明の開示】
【発明が解決しようとする課題】
【０００４】
しかしながら、特許文献１に記載のプロジェクタでは、例えば、プロジェクタの使用者がプロジェクタ本体と接触する等して不意にプロジェクタ本体および画像出力装置が回転を開始したときなどには、投射レンズから射出される光が使用者にあたり、使用者が不快感を覚える場合があるという問題がある。
【０００５】
本発明の目的は、プロジェクタ本体および画像出力装置が回転した場合においても、使用者が快適に利用することができるプロジェクタおよび輝度調整方法を提供することにある。
【課題を解決するための手段】
【０００６】
本発明のプロジェクタは、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、前記プロジェクタ本体および前記画像出力装置の回転位置を検出するための回転位置検出手段と、前記プロジェクタ本体を制御する制御手段とを備え、前記制御手段は、前記回転位置検出手段の検出結果に基づいて、前記プロジェクタ本体および前記画像出力装置の回転速度を算出する回転速度算出部と、前記回転速度算出部により算出される回転速度が所定速度より大きいか否かを判定する調整判定部と、前記調整判定部により、前記回転速度が前記所定速度より大きいと判定されると、前記投射光学装置から射出される光の輝度を低くするように調整する輝度調整部とを備えることを特徴とする。
【０００７】
このような構成によれば、例えば、調整判定部を、回転位置検出手段により検出される回転位置の変化に応じて回転速度算出部により算出されるプロジェクタ本体および画像出力装置の回転速度が所定速度より大きいか否かを判定するように構成し、輝度調整部を、算出された回転速度が当該所定速度より大きいと判定された場合に、投射光学装置から射出される光の輝度を低くするように調整するように構成することにより、不意にプロジェクタ本体および画像出力装置が回転を開始したときなどにおいても使用者が不快感を覚えることなく、快適に利用することができる。
なお、輝度調整部は、例えば、光源から射出される光の輝度を調整したり、光変調装置にて形成される光学像の輝度を調整したりすることで、投射光学装置から射出される光の輝度の調整を実施することができる。
【０００９】
ここで、プロジェクタの使用者が意図してプロジェクタ本体および画像出力装置を回転させて投射光学装置から射出される光の投射方向を所望の方向に変更する場合と、不意にプロジェクタ本体および画像出力装置が回転を開始する場合とでは、プロジェクタ本体および画像出力装置の回転速度が異なると考えられる。具体的に、前者の場合と比較して後者の場合には回転速度が速いと考えられる。
このような構成によれば、調整判定部は、回転速度算出部により算出される回転速度が所定速度より大きいときに、投射光学装置から射出される光の輝度を調整すると判定するので、不意にプロジェクタ本体および画像出力装置が回転を開始した場合においても使用者が不快感を覚えることなく、快適に利用することができる。さらに、プロジェクタの使用者が意図してプロジェクタ本体および画像出力装置を回転させる場合には、投射光学装置から射出される光の輝度が調整されることなく回転させることができる。
【００１０】
本発明では、前記輝度調整部は、前記投射光学装置から射出される光の輝度を調整した後、前記回転速度が前記所定速度より小さくなったときにおいても当該調整を維持することが好ましい。
このような構成によれば、例えば、輝度調整部を、投射光学装置から射出される光の輝度を低い状態で維持するように構成することにより、不意にプロジェクタ本体および画像出力装置が回転を開始し、その後、回転を停止した場合などに、投射光学装置から射出される光が使用者にあたり、使用者が不快感を覚えることを確実に防止することができる。
【００１１】
本発明のプロジェクタは、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタであって、前記プロジェクタ本体および前記画像出力装置の回転位置を検出するための回転位置検出手段と、前記プロジェクタ本体を制御する制御手段とを備え、前記制御手段は、前記回転位置検出手段の検出結果に基づいて、基準回転位置を認識する基準回転位置認識部と、前記回転位置検出手段の検出結果に基づいて、前記基準回転位置認識部により認識される基準回転位置からの回転角度を算出する回転角度算出部と、前記回転角度算出部により算出される回転角度が所定角度より大きいか否かを判定する調整判定部と、前記調整判定部により、前記回転角度が前記所定角度より大きいと判定されると、前記投射光学装置から射出される光の輝度を低くするように調整する輝度調整部とを備えることを特徴とする。
【００１２】
なお、基準回転位置認識部は、例えば、プロジェクタの電源ボタンが押下され、投射光学装置から光が射出されたときにおけるプロジェクタ本体および画像出力装置の回転位置を回転位置検出手段にて検出し、この回転位置を、基準回転位置として認識するように構成することができる。
そして、回転角度算出部は、例えば、所定時間ごとのプロジェクタ本体および画像出力装置の回転位置を回転位置検出手段にて検出し、この回転位置と、基準回転位置との差分値を回転角度として算出するように構成することができる。
【００１３】
ここで、プロジェクタの使用者が意図してプロジェクタ本体および画像出力装置を回転させて投射光学装置から射出される光の投射方向を所望の方向に変更する場合と、不意にプロジェクタ本体および画像出力装置が回転を開始する場合とでは、プロジェクタ本体および画像出力装置の回転角度が異なると考えられる。具体的に、前者の場合と比較して後者の場合には回転角度が大きいと考えられる。
このような構成によれば、調整判定部は、回転角度算出部により算出される回転角度が所定角度より大きいときに、投射光学装置から射出される光の輝度を調整すると判定するので、不意にプロジェクタ本体および画像出力装置が回転を開始した場合においても使用者が不快感を覚えることなく、快適に利用することができる。さらに、プロジェクタの使用者が意図してプロジェクタ本体および画像出力装置を回転させる場合には、投射光学装置から射出される光の輝度が調整されることなく回転させることができる。
【００１４】
本発明では、前記制御手段は、前記回転速度算出部により算出される回転速度が所定速度より大きくなった後、当該回転速度が当該所定速度より小さくなったときに、画質調整をするための所定の画像情報を前記光変調装置に対して出力する調整用画像出力部とを備えることが好ましい。
【００１５】
ここで、プロジェクタの使用者がプロジェクタ本体および画像出力装置を回転させて投射光学装置から射出される光の投射方向を変更すると、投射光学装置とスクリーン等の投射面との間の距離が変わることとなる。このため、例えば、ＯＳＤ（On Screen Display）画面や、ＤＶＤ等に記憶された画像情報に基づく画像などが投射面上に表示されている状態では、プロジェクタの使用者がフォーカス調整や、ズーム調整などの画質調整をするのに手間がかかるという問題がある。
【００１６】
しかしながら、このような構成によれば、例えば、プロジェクタの使用者がプロジェクタ本体および画像出力装置を回転させて投射光学装置から射出される光の投射方向を変更した後、回転が停止したときに、調整用画像出力部は、画質調整をするための所定の画像情報を前記光変調装置に対して出力する。したがって、例えば、調整用画像出力部にてフォーカス調整や、ズーム調整などの画質調整をするための所定の画像情報を光変調装置に対して出力することで、プロジェクタの使用者は、スクリーン等の投射面上に表示される表示画像を参照しながら容易にフォーカス調整や、ズーム調整などの画質調整をすることができる。
【００１７】
本発明では、前記輝度調整部は、前記光変調装置を制御することで前記投射光学装置から射出される光の輝度を調整することが好ましい。
このような構成によれば、輝度調整部は、光源から射出される光の輝度を調整する場合などと比較して、投射光学装置から射出される光の輝度を高くする、または低くする調整を迅速に実施することができる。
【００１８】
本発明では、前記投射光学装置から射出される光を遮蔽可能とする遮蔽部材を備え、前記輝度調整部は、前記遮蔽部材を制御することで前記投射光学装置から射出される光の輝度を調整することが好ましい。
このような構成によれば、輝度調整部は、光源から射出される光の輝度を調整する場合や、光変調装置を制御することで投射光学装置から射出される光の輝度を調整する場合などと比較して、投射光学装置から射出される光の輝度を高くする、または低くする調整を更に迅速に実施することができる。
【００１９】
本発明の輝度調整方法は、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、前記プロジェクタ本体および前記画像出力装置の回転位置を検出するための回転位置検出手段の検出結果に基づいて、前記プロジェクタ本体および前記画像出力装置の回転速度を算出する回転速度算出ステップと、前記回転速度算出ステップにて算出される回転速度が所定速度より大きいか否かを判定する調整判定ステップと、前記調整判定ステップにて、前記回転速度が前記所定速度より大きいと判定されると、前記投射光学装置から射出される光の輝度を低くするように調整する輝度調整ステップとを含むことを特徴とする。
また、本発明の輝度調整方法は、光源から射出された光を、入力される画像情報に応じて変調して光学像を形成する光変調装置と、形成した光学像を拡大投射する投射光学装置とを備えるプロジェクタ本体と、当該プロジェクタ本体に前記画像情報を出力する画像出力装置と、前記プロジェクタ本体および前記画像出力装置を相対回転可能に連結させる連結機構とを備えるプロジェクタに用いられる輝度調整方法であって、前記プロジェクタ本体および前記画像出力装置の回転位置を検出するための回転位置検出手段の検出結果に基づいて、基準回転位置を認識する基準回転位置認識ステップと、前記回転位置検出手段の検出結果に基づいて、前記基準回転位置認識ステップにより認識される基準回転位置からの回転角度を算出する回転角度算出ステップと、前記回転角度算出ステップにて算出される回転角度が所定角度より大きいか否かを判定する調整判定ステップと、前記調整判定ステップにて、前記回転角度が前記所定角度より大きいと判定されると、前記投射光学装置から射出される光の輝度を低くするように調整する輝度調整ステップとを含むことを特徴とする。
このような構成によれば、前述したプロジェクタと同様の作用効果を奏することができ
る。
【発明を実施するための最良の形態】
【００２０】
〔第１実施形態〕
以下、本発明の一実施形態を図面に基づいて説明する。
〔プロジェクタの概略構成〕
図１は、プロジェクタ１を前方側から見た斜視図であり、図２は、プロジェクタ１を後方側から見た斜視図である。図３は、プロジェクタ１を前方側から見た分解斜視図である。なお、図１〜図３では、説明の便宜上、プロジェクタ１の後方側から前方側に向かう方向をＸ軸とし、このＸ軸に直交する２軸をそれぞれＹ軸（水平軸）およびＺ軸（垂直軸）とする。以下の図面についても同様である。
プロジェクタ１は、図１〜図３に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３と、プロジェクタ本体２およびＤＶＤプレーヤー３を回転自在に連結させる連結機構４と、プロジェクタ本体２およびＤＶＤプレーヤー３の回転位置を検出するための回転位置検出手段６（図４，図５参照）とを備える。なお、回転位置検出手段６およびプロジェクタ１の内部構成については後に詳述する。
【００２１】
プロジェクタ本体２は、図１および図２に示すように、ＤＶＤプレーヤー３の上方側（＋Ｚ軸方向側）に載置され、略直方体状に形成された上方側筐体２１と、上方側筐体２１の前面（＋Ｘ軸方向側の面）に露出する投射レンズ２２と、上方側筐体２１の上面（＋Ｚ軸方向側の面）の後方側（−Ｘ軸方向側）に設けられた操作パネル２３とを備える。この操作パネル２３は、プロジェクタ１の起動・調整等の操作を実施するためのものである。
【００２２】
画像出力装置としてのＤＶＤプレーヤー３は、デジタルデータとして画像情報等が記録されたＤＶＤ等の記録媒体を再生することで、記録媒体に記録された画像情報等を、画像ケーブル（図示略）を介してプロジェクタ本体２に出力するものである。このＤＶＤプレーヤー３は、図１および図２に示すように、プロジェクタ本体２の下方側（−Ｚ軸方向側）に配置され、略直方体状に形成された下方側筐体３１と、下方側筐体３１の前面の略中央部分に設けられたＤＶＤ挿抜口３２と、ＤＶＤ挿抜口３２の下方側に設けられたＤＶＤ操作部３３と、下方側筐体３１の背面（−Ｘ軸方向側の面）に設けられたインタフェースカバー３４およびインレットコネクタ３５とを備える。
【００２３】
ＤＶＤ挿抜口３２は、ＤＶＤ等の記録媒体が挿抜される部分であり、ＤＶＤプレーヤー３は、このＤＶＤ挿抜口３２に挿入された記録媒体に記録された画像情報等を再生する。
ＤＶＤ操作部３３は、ＤＶＤプレーヤー３の再生・停止等の操作を実施するための部分であり、ＤＶＤプレーヤー３は、このＤＶＤ操作部３３が操作されることで、ＤＶＤ挿抜口３２に挿入された記録媒体に記録された画像情報等の再生・停止等を実施する。
【００２４】
インタフェースカバー３４の内部には、図示は省略するが、例えば、プロジェクタ１に外部から画像情報を入力するための画像入力端子などの各種インタフェースコネクタが設けられており、インタフェースカバー３４は、これらのインタフェースコネクタを保護する。そして、このインタフェースカバー３４を開放することで、各種インタフェースコネクタを利用することができる。
インレットコネクタ３５は、ＡＣ電源ケーブルを外部から接続するためのコネクタであり、インタフェースカバー３４に覆われることなく露出している。
すなわち、各種インタフェースコネクタおよびインレットコネクタ３５は、下方側のＤＶＤプレーヤー３に設けられている。
【００２５】
連結機構４は、図３に示すように、プロジェクタ本体２の底板２４に固定される板状部材４１と、この板状部材４１に固定されるとともに、ＤＶＤプレーヤー３の天板３６に回転自在に取り付けられる回転部材４２と、この回転部材４２を天板３６に取り付ける複数の分割円環部材４３とを備える。
なお、図３では、上方側筐体２１から露出する投射レンズ２２（図１参照）や、下方側筐体３１に設けられたＤＶＤ挿抜口３２（図１参照）等の各部については図示を省略している。
【００２６】
板状部材４１は、平面視略十字形状に形成される板状の部材であり、略直交して四方に延出する４つの端部を有している。この板状部材４１の略中央位置には、回転部材４２が複数のネジにて固定されている。
回転部材４２は、略円筒形状の回転部材本体４２１と、この回転部材本体４２１の天板３６側の一端に軸方向と略直交して外側に向かって延出して設けられる延出部４２２を備える。
ここで、天板３６には、プレス成形等により、上方側に向かって突出する略円盤状の台座３６１が略中央位置に形成され、台座３６１における略中央位置には、略円形の開口部３６１Ａが形成されている。そして、回転部材４２は、板状部材４１に固定された状態で開口部３６１Ａに上方側から挿通される。
【００２７】
分割円環部材４３は、回転部材本体４２１の外径と略同じ内径を有する平板状の円環部材を２つの部分に分割した部材であり、回転部材４２が開口部３６１Ａに挿通した状態における天板３６と、延出部４２２との間隙と略同じ厚さに形成されている。
そして、分割円環部材４３は、天板３６と、延出部４２２との間隙に回転部材本体４２１を挟み込むように挿入され、複数のネジにて天板３６に固定されている。また、天板３６は、複数のネジにて下方側筐体３１に固定される。
【００２８】
〔回転位置検出手段の構成〕
図４は、天板３６を下方側から見た図である。図５は、天板３６を斜め下方側から見た斜視図である。
回転位置検出手段６は、図４に示すように、天板３６の後方側（−Ｘ軸方向側）に固定された分割円環部材４３の略中央位置に取り付けられる平面視略矩形状のロータリーエンコーダ６１と、台座３６１に取り付けられ、ロータリーエンコーダ６１からの信号出力を検出するためのエンコーダ用基板６２とを備える。
【００２９】
ロータリーエンコーダ６１は、アブソリュート型のロータリーエンコーダであり、回転部材４２側に突出して回転自在に設けられた回転体６１Ａを備え、この回転体６１Ａの回転位置に基づく信号を出力する。また、回転体６１Ａにおける周面には、歯列（図示略）が形成されている。
ここで、回転部材４２の延出部４２２における周面には、図５に示すように、歯列が形成され、この歯列は回転体６１Ａの歯列と噛み合っている。そして、回転部材４２が回転すると、これに伴って回転体６１Ａが回転する。すなわち、ロータリーエンコーダ６１は、回転部材４２の回転位置、ひいては、プロジェクタ本体２およびＤＶＤプレーヤー３の回転位置に基づく信号を出力する。
エンコーダ用基板６２は、ロータリーエンコーダ６１の回転位置を検出するための回路基板であり、後述する制御手段２６により制御される。そして、エンコーダ用基板６２は、検出したロータリーエンコーダ６１の信号出力を制御手段２６に出力する。
【００３０】
〔プロジェクタの内部構成〕
図６は、プロジェクタ１の内部構成を示すブロック図である。
プロジェクタ本体２は、図６に示すように、画像投射手段２５と、制御手段２６とで概略構成されている。
画像投射手段２５は、光源から射出される光を画像情報に応じて変調して光学像を形成し、形成した光学像をスクリーンＳｃ等の投射面に拡大投射するものである。この画像投射手段２５は、光源装置２５１と、液晶パネル２５２と、前述した投射レンズ２２とを備える。
【００３１】
光源装置２５１は、高圧放電ランプにて構成される光源ランプ２５３を備え、光源ランプ２５３は、光を液晶パネル２５２に向けて射出する。なお、光源装置２５１は、光源ランプ２５３に代えて、発光ダイオード、レーザダイオード、有機ＥＬ素子等の各種自己発光素子を備えていてもよい。
光変調装置としての液晶パネル２５２は、透過型の液晶パネルであり、画像情報に基づいて、液晶セル（図示略）に封入された液晶分子の配列を変化させ、光源ランプ２５３から射出された光を、透過若しくは遮断することにより画像データに応じて変調して光学像を形成し、この光学像を投射レンズ２２に射出する。
【００３２】
投射光学装置としての投射レンズ２２は、筒状の鏡筒（図示略）内に複数のレンズが収納された組レンズとして構成され、液晶パネル２５２から射出された光学像をスクリーンＳｃに向けて拡大投射するものである。そして、スクリーンＳｃには、射出された光学像に基づく投射画像が表示される。
なお、図示は省略したが、プロジェクタ本体２は、光源ランプ２５３から射出される光をＲＧＢ（Red Green Blue）の３色の光に分離する色光分離光学装置を備えている。また、前述した液晶パネル２５２は、色光分離光学装置にて分離されたＲＧＢの３色に対応して設けられている。さらに、プロジェクタ本体２は、３色の光学像を合成してカラー画像を表す光学像を生成する合成光学装置を備えている。
【００３３】
制御手段２６は、例えば、ＣＰＵ（Central Processing Unit）等を含んで構成され、プロジェクタ本体２およびエンコーダ用基板６２を制御する。この制御手段２６は、回転速度算出部２６１と、調整判定部２６２と、輝度調整部２６３とを備える。
回転速度算出部２６１は、エンコーダ用基板６２から出力されるロータリーエンコーダ６１の信号出力、すなわち、回転位置検出手段６の検出結果に基づいて、プロジェクタ本体２およびＤＶＤプレーヤー３の回転速度を算出する。
調整判定部２６２は、回転速度算出部２６１により算出される回転速度が所定速度より大きいときに、投射レンズ２２から射出される光の輝度を調整すると判定する。
輝度調整部２６３は、調整判定部２６２による判定結果に基づいて、投射レンズ２２から射出される光の輝度の調整を実施する。
【００３４】
〔プロジェクタの輝度調整処理〕
図７は、プロジェクタ１の輝度調整処理を示すフローチャートである。
プロジェクタ１は、電源ボタン（図示略）が押下されると、画像情報に応じて形成された光学像をスクリーンＳｃに向けて拡大投射するとともに、以下の輝度調整処理を実行する。
まず、回転速度算出部２６１は、エンコーダ用基板６２から出力されるロータリーエンコーダ６１の信号出力を所定時間ごとにサンプリングすることで、プロジェクタ本体２およびＤＶＤプレーヤー３の回転位置を取得する（ステップＳ１：回転位置取得ステップ）。
【００３５】
回転位置取得ステップＳ１にてプロジェクタ本体２およびＤＶＤプレーヤー３の回転位置が取得されると、回転速度算出部２６１は、この回転位置に基づいて、プロジェクタ本体２およびＤＶＤプレーヤー３の回転速度を算出する（ステップＳ２：回転速度算出ステップ）。
具体的に、回転速度算出部２６１は、回転位置取得ステップＳ１にて取得された所定時間ごとの回転位置を時間微分することでプロジェクタ本体２およびＤＶＤプレーヤー３の回転速度を算出する。
【００３６】
回転速度算出ステップＳ２にてプロジェクタ本体２およびＤＶＤプレーヤー３の回転速度が算出されると、調整判定部２６２は、この回転速度が所定速度より大きいか否かを判定する（調整判定ステップＳ３）。なお、この所定速度は、制御手段２６のメモリ（図示略）に記憶されている。
そして、調整判定ステップＳ３にて回転速度が所定速度より大きいと判定されると、輝度調整部２６３は、液晶パネル２５２を制御することで投射レンズ２２から射出される光の輝度を低くするように調整を開始する（ステップＳ４：輝度調整ステップ）。
【００３７】
具体的に、輝度調整部２６３は、調整判定ステップＳ３にて回転速度が所定速度より大きいと判定されると、液晶パネル２５２に、全ての液晶セルにおいて光源ランプ２５３から射出された光を遮断させるための画像情報、すなわち、スクリーンＳｃに表示される表示画像が全黒画像となるような画像情報を出力して投射レンズ２２から射出される光の輝度を低くするように調整する。一方、輝度調整部２６３は、調整判定ステップＳ３にて回転速度が所定速度より小さいと判定されると、投射レンズ２２から射出される光の輝度を調整することなく、再度、ステップＳ１〜Ｓ３を実行する。
【００３８】
輝度調整ステップＳ４により輝度が調整されると、輝度調整部２６３は、輝度を調整した状態を電源ボタンが再度押下されるまで維持する（輝度調整維持ステップＳ５）。したがって、スクリーンＳｃに表示される表示画像は全黒画像のまま維持される。すなわち、輝度調整部２６３は、投射レンズ２２から射出される光の輝度を調整した後、回転速度が所定速度より小さくなったときにおいても電源ボタンが再度押下されるまで調整を維持する。
そして、電源ボタンが再度押下されると、輝度調整部２６３は、投射レンズ２２から射出される光の輝度の調整を停止する（ステップＳ６：輝度調整停止ステップ）。これにより、プロジェクタ１は、画像情報に応じて形成された光学像をスクリーンＳｃに向けて拡大投射する。
以上のステップＳ１〜Ｓ６を実行することにより、プロジェクタ１の輝度調整処理が実行される。
【００３９】
本実施形態に係るプロジェクタ１によれば、次のような効果がある。
（１）制御手段２６は、調整判定部２６２と、輝度調整部２６３とを備えるので、不意にプロジェクタ本体２およびＤＶＤプレーヤー３が回転を開始したときなどにおいても使用者が不快感を覚えることなく、快適に利用することができる。
（２）調整判定部２６２は、回転速度算出部２６１により算出される回転速度が所定速度より大きいときに、投射レンズ２２から射出される光の輝度を調整すると判定するので、プロジェクタ１の使用者が意図してプロジェクタ本体２およびＤＶＤプレーヤー３を回転させる場合には、投射レンズ２２から射出される光の輝度が調整されることなく回転させることができる。
【００４０】
（３）輝度調整部２６３は、投射レンズ２２から射出される光の輝度を調整した後、回転速度が所定速度より小さくなったときにおいても電源ボタンが再度押下されるまで調整を維持するので、投射レンズ２２から射出される光が使用者にあたり、使用者が不快感を覚えることを確実に防止することができる。
（４）輝度調整部２６３は、液晶パネル２５２を制御することで投射レンズ２２から射出される光の輝度を調整するので、光源から射出される光の輝度を調整する場合などと比較して、投射レンズ２２から射出される光の輝度を高くする、または低くする調整を迅速に実施することができる。
【００４１】
〔第２実施形態〕
以下、本発明の第２実施形態に係るプロジェクタ１Ａについて説明する。
なお、以下の説明では、既に説明した部分については、同一符号を付してその説明を省略する。
前記第１実施形態に係るプロジェクタ１では、調整判定部２６２は、回転速度算出部２６１により算出される回転速度が所定速度より大きいときに、投射レンズ２２から射出される光の輝度を調整すると判定していた。これに対して、本実施形態に係るプロジェクタ１Ａは、基準回転位置からの回転角度を算出する回転角度算出部２６５を備え、調整判定部２６２Ａは、回転角度算出部２６５により算出される回転角度が所定角度より大きいときに、投射レンズ２２から射出される光の輝度を調整すると判定している点で異なる。
【００４２】
図８は、プロジェクタ１Ａの内部構成を示すブロック図である。
制御手段２６Ａは、図８に示すように、基準回転位置認識部２６４と、回転角度算出部２６５とを備える。
基準回転位置認識部２６４は、回転位置検出手段６の検出結果に基づいて、基準回転位置を認識する。
回転角度算出部２６５は、回転位置検出手段６の検出結果に基づいて、基準回転位置認識部２６４により認識される基準回転位置からの回転角度を算出する。
調整判定部２６２Ａは、回転角度算出部２６５により算出される回転角度が所定角度より大きいときに、投射レンズ２２から射出される光の輝度を調整すると判定する。
【００４３】
図９は、プロジェクタ１Ａの輝度調整処理を示すフローチャートである。
プロジェクタ１Ａは、電源ボタンが押下されると、画像情報に応じて形成された光学像をスクリーンＳｃに向けて拡大投射するとともに、以下の輝度調整処理を実行する。
まず、基準回転位置認識部２６４は、回転位置検出手段６の検出結果に基づいて、基準回転位置を認識する（ステップＳ１０：基準回転位置認識ステップ）。
具体的に、基準回転位置認識部２６４は、電源ボタンが押下されたときにおけるプロジェクタ本体２ＡおよびＤＶＤプレーヤー３の回転位置を、エンコーダ用基板６２から出力されるロータリーエンコーダ６１の信号出力をサンプリングすることで取得し、取得した回転位置を基準回転位置として認識する。
【００４４】
基準回転位置認識ステップＳ１０にて基準回転位置が認識されると、回転角度算出部２６５は、前記第１実施形態と同様に回転位置取得ステップＳ１１を実行する。
回転位置取得ステップＳ１１にて回転位置が取得されると、回転角度算出部２６５は、この回転位置に基づいて、基準回転位置からの回転角度を算出する（回転角度算出ステップＳ１２）。なお、回転角度の算出は、基準回転位置から回転位置取得ステップＳ１にて取得される回転位置を減算して絶対値をとることで行う。
【００４５】
回転角度算出ステップＳ１２にて基準回転位置からの回転角度が算出されると、調整判定部２６２Ａは、この回転角度が所定角度より大きいか否かを判定する（調整判定ステップＳ１３）。なお、この所定角度は、制御手段２６Ａのメモリ（図示略）に記憶されている。
そして、調整判定ステップＳ１３にて回転角度が所定角度より大きいと判定されると、輝度調整部２６３は、投射レンズ２２から射出される光の輝度を低くするように調整を開始する（ステップＳ１４：輝度調整ステップ）。一方、輝度調整部２６３は、調整判定ステップＳ１３にて回転角度が所定角度より小さいと判定されると、投射レンズ２２から射出される光の輝度を調整することなく、再度、ステップＳ１〜Ｓ１３を実行する。
輝度調整ステップＳ１４により輝度が調整されると、プロジェクタ１Ａは、前記第１実施形態と同様に輝度調整維持ステップＳ５〜輝度調整停止ステップＳ６を実行する。
以上のステップＳ１０〜Ｓ６を実行することにより、プロジェクタ１Ａの輝度調整処理が実行される。
【００４６】
このような本実施形態においても、前記第１実施形態における（１），（３），（４）と同様の作用効果を奏することができる他、以下の作用効果をも奏することができる。
すなわち、調整判定部２６２Ａは、回転角度算出部２６５により算出される回転角度が所定角度より大きいときに、投射レンズ２２から射出される光の輝度を調整すると判定するので、プロジェクタ１の使用者が意図してプロジェクタ本体２およびＤＶＤプレーヤー３を回転させる場合には、投射レンズ２２から射出される光の輝度が調整されることなく回転させることができる。
【００４７】
〔第３実施形態〕
以下、本発明の第３実施形態に係るプロジェクタ１Ｂについて説明する。
本実施形態に係るプロジェクタ１Ｂは、画質調整をするための所定の画像情報を液晶パネル２５２に対して出力する調整用画像出力部２６６を備える点で前記第１実施形態に係るプロジェクタ１と異なる。
【００４８】
図１０は、プロジェクタ１Ｂの内部構成を示すブロック図である。
制御手段２６Ｂは、図１０に示すように、調整用画像出力部２６６を備える。
調整用画像出力部２６６は、回転速度算出部２６１により算出される回転速度が所定速度より大きくなった後、この回転速度が所定速度より小さくなったときに、フォーカス調整や、ズーム調整などの画質調整をするための所定の画像情報を液晶パネル２５２に対して出力する。
【００４９】
図１１は、プロジェクタ１Ｂの調整用画像出力処理を示すフローチャートである。
プロジェクタ１Ｂは、電源ボタンが押下されると、画像情報に応じて形成された光学像をスクリーンＳｃに向けて拡大投射するとともに、以下の調整用画像出力処理を実行する。
まず、プロジェクタ１Ｂは、前記第１実施形態と同様にステップＳ１〜Ｓ２を実行する。
回転速度算出ステップＳ２にてプロジェクタ本体２ＢおよびＤＶＤプレーヤー３の回転速度が算出されると、調整用画像出力部２６６は、この回転速度が所定速度より大きいか否かを判定する（回転速度判定ステップＳ２０）。なお、この所定速度は、制御手段２６Ｂのメモリ（図示略）に記憶されている。また、調整用画像出力部２６６における所定速度は、調整判定部２６２における所定速度とは異なっており、本実施形態では、調整用画像出力部２６６における所定速度は、調整判定部２６２における所定速度と比較して小さい。
【００５０】
そして、回転速度判定ステップＳ２０にて回転速度が所定速度より大きいと判定されると、プロジェクタ１Ｂは、前記第１実施形態と同様に回転位置取得ステップＳ２１〜回転速度算出ステップＳ２２を実行する。一方、回転速度判定ステップＳ２０にて回転速度が所定速度より小さいと判定されると、プロジェクタ１Ｂは、再度、ステップＳ１〜Ｓ２０を実行する。
回転速度算出ステップＳ２２にてプロジェクタ本体２ＢおよびＤＶＤプレーヤー３の回転速度が算出されると、調整用画像出力部２６６は、この回転速度が所定速度より小さいか否かを判定する（回転速度判定ステップＳ２３）。
【００５１】
そして、回転速度判定ステップＳ２３にて回転速度が所定速度より小さいと判定されると、調整用画像出力部２６６は、フォーカス調整や、ズーム調整などの画質調整をするための所定の画像情報を液晶パネル２５２に対して出力する（ステップＳ２４：調整用画像出力ステップ）。これにより、スクリーンＳｃ上には、フォーカス調整や、ズーム調整などの画質調整をするため画像が表示される。一方、回転速度判定ステップＳ２３にて回転速度が所定速度より大きいと判定されると、プロジェクタ１Ｂは、再度、ステップＳ２１〜Ｓ２２を実行する。
【００５２】
なお、本実施形態では、調整判定部２６２および輝度調整部２６３による処理と、調整用画像出力部２６６による処理との間には優先順位が設定され、調整判定部２６２および輝度調整部２６３による処理の優先度は、調整用画像出力部２６６による処理の優先度よりも高い。すなわち、回転速度算出部２６１により算出される回転速度が調整判定部２６２における所定速度より大きい場合には、調整用画像出力部２６６による回転位置取得ステップＳ２１〜調整用画像出力ステップＳ２４が実行されることなく、輝度調整部２６３による輝度調整ステップＳ４〜輝度調整停止ステップＳ６が優先的に実行される。
【００５３】
このような本実施形態においても、前記第１実施形態における（１），（２），（４）と同様の作用効果を奏することができる他、以下の作用効果をも奏することができる。
すなわち、スクリーンＳｃ上には、フォーカス調整や、ズーム調整などの画質調整をするため画像が表示されるので、プロジェクタ１Ｂの使用者は、スクリーンＳｃ上に表示される表示画像を参照しながら容易にフォーカス調整や、ズーム調整などの画質調整をすることができる。
【００５４】
〔第４実施形態〕
以下、本発明の第４実施形態に係るプロジェクタ１Ｃについて説明する。
前記第１実施形態に係るプロジェクタ１では、輝度調整部２６３は、液晶パネル２５２に、全ての液晶セルにおいて光源ランプ２５３から射出された光を遮断させるための画像情報を出力して投射レンズ２２から射出される光の輝度を低くするように調整している。これに対して、本実施形態に係るプロジェクタ１Ｃは、投射レンズ２２から射出される光を遮蔽するレンズシャッター２７を備え、輝度調整部２６３Ｃは、レンズシャッター２７を制御することで投射レンズ２２から射出される光の輝度を調整する点で異なる。
【００５５】
図１２は、プロジェクタ１Ｃの内部構成を示すブロック図である。
プロジェクタ本体２Ｃは、図１２に示すように、制御手段２６Ｃと、レンズシャッター２７とを備える。
遮蔽部材としてのレンズシャッター２７は、図示は省略するが、投射レンズ２２の投射方向後段側に設けられた非透光性の板状部材であり、上方側筐体２１の前面に沿って摺動することで投射レンズ２２から射出される光を遮蔽可能とする。また、このレンズシャッター２７には、リニアアクチュエータ（図示略）が接続され、制御手段２６Ｃから出力される制御信号に基づいて開閉制御可能に構成されている。
制御手段２６Ｃは、輝度調整部２６３Ｃを備え、輝度調整部２６３Ｃは、回転速度算出部２６１により算出される回転速度に応じて、レンズシャッター２７を制御して開閉させることで、投射レンズ２２から射出される光の輝度を調整する。
【００５６】
このような本実施形態においても、前記第１実施形態における（１）〜（３）と同様の作用効果を奏することができる他、以下の作用効果をも奏することができる。
すなわち、輝度調整部２６３Ｃは、レンズシャッター２７を制御して開閉させることで、投射レンズ２２から射出される光の輝度を調整するので、光源から射出される光の輝度を調整する場合や、液晶パネル２５２を制御することで投射レンズ２２から射出される光の輝度を調整する場合などと比較して、投射レンズ２２から射出される光の輝度を高くする、または低くする調整を更に迅速に実施することができる。
【００５７】
〔実施形態の変形〕
なお、本発明は前記各実施形態に限定されるものではなく、本発明の目的を達成できる範囲での変形、改良等は本発明に含まれるものである。また、前記各実施形態を組み合わせることは自由である。
前記各実施形態では、回転位置検出手段６は、ロータリーエンコーダ６１と、エンコーダ用基板６２とにより構成されていたが、例えば、可変抵抗などを用いてもよく、要するに、プロジェクタ本体および画像出力装置の回転位置を検出するためのものであればよい。
前記各実施形態では、輝度調整部は、液晶パネル２５２またはレンズシャッター２７を制御することで投射レンズ２２から射出される光の輝度を調整していたが、例えば、光源から射出する光を減光したり、電源をＯＦＦにしたりするようにしてもよい。要するに、投射光学装置から射出される光の輝度を調整することができればよい。
【００５８】
前記各実施形態では、調整判定部は、プロジェクタ本体および画像出力装置の回転速度または回転角度が所定速度または所定角度より大きいときに、投射光学装置から射出される光の輝度を調整すると判定していた。この際、所定速度または所定角度は、０であってもよい。
【００５９】
前記第１実施形態から第３実施形態では、輝度調整部は、回転速度または回転角度が所定速度または所定角度より大きいと判定されると、液晶パネル２５２に、全ての液晶セルにおいて光源ランプ２５３から射出された光を遮断させるための画像情報を出力して投射レンズ２２から射出される光の輝度を低くするように調整していた。これに対して、例えば、輝度調整部は、回転速度または回転角度の大きさに応じて、光変調装置の光透過率を徐々に低下させるように変更することで投射光学装置から射出される光の輝度を低くするように調整してもよい。
【００６０】
前記第２実施形態では、基準回転位置認識部２６４は、電源ボタンが押下されたときにおけるプロジェクタ本体２ＡおよびＤＶＤプレーヤー３の回転位置を、基準回転位置として認識していた。これに対して、例えば、使用者からの操作入力により基準回転位置を認識するようにしてもよい。要するに、基準回転位置認識部は、回転位置検出手段の検出結果に基づいて、基準回転位置を認識することができればよい。
前記第２実施形態では、回転位置検出手段６の検出結果に基づいて、基準回転位置を認識していた。これに対して、例えば、基準回転位置を認識するためのスイッチなどを設けてもよく、さらには、基準回転位置を予めメモリなどに記憶させておいてもよい。要するに、基準回転位置認識部は、回転角度を算出するための基準回転位置を認識することができればよい。
前記第３実施形態では、調整用画像出力部２６６は、フォーカス調整や、ズーム調整などの画質調整をするための所定の画像情報を液晶パネル２５２に対して出力していたが、例えば、回転停止時に有用な他の画像情報を光変調装置に対して出力するようにしてもよい。
【００６１】
前記各実施形態では、透過型の液晶パネル２５２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記各実施形態では、画像出力装置として、ＤＶＤプレーヤー３を例示したが、例えば、ビデオプレーヤーなどであってもよく、要するに、プロジェクタ本体に画像情報を出力するものであればよい。
【産業上の利用可能性】
【００６２】
本発明は、プロジェクタに利用でき、特に、プロジェクタ本体と、画像出力装置とを備えるプロジェクタに好適に利用することができる。
【図面の簡単な説明】
【００６３】
【図１】第１実施形態におけるプロジェクタを前方側から見た斜視図。
【図２】前記実施形態におけるプロジェクタを後方側から見た斜視図。
【図３】前記実施形態におけるプロジェクタを前方側から見た分解斜視図。
【図４】前記実施形態における天板を下方側から見た図。
【図５】前記実施形態における天板を斜め下方側から見た斜視図。
【図６】前記実施形態におけるプロジェクタの内部構成を示すブロック図。
【図７】前記実施形態におけるプロジェクタの輝度調整処理を示すフローチャート。
【図８】第２実施形態におけるプロジェクタの内部構成を示すブロック図。
【図９】前記実施形態におけるプロジェクタの輝度調整処理を示すフローチャート。
【図１０】第３実施形態におけるプロジェクタの内部構成を示すブロック図。
【図１１】前記実施形態におけるプロジェクタの調整用画像出力処理を示すフローチャート。
【図１２】第４実施形態におけるプロジェクタの内部構成を示すブロック図。
【符号の説明】
【００６４】
１，１Ａ，１Ｂ，１Ｃ…プロジェクタ、２，２Ａ，２Ｂ，２Ｃ…プロジェクタ本体、３…ＤＶＤプレーヤー（画像出力装置）、４…連結機構、６…回転位置検出手段、２２…投射レンズ（投射光学装置）、２６，２６Ａ，２６Ｂ，２６Ｃ…制御手段、２７…レンズシャッター（遮蔽部材）、２５２…液晶パネル（光変調装置）、２６１…回転速度算出部、２６２，２６２Ａ…調整判定部、２６３，２６３Ｃ…輝度調整部、２６４…基準回転位置認識部、２６５…回転角度算出部、２６６…調整用画像出力部、Ｓ３，Ｓ１３…調整判定ステップ、Ｓ４，Ｓ１４…輝度調整ステップ。
【図１】
0005040492.tif 000002
【図２】
0005040492.tif 000003
【図３】
0005040492.tif 000004
【図４】
0005040492.tif 000005
【図５】
0005040492.tif 000006
【図６】
0005040492.tif 000007
【図７】
0005040492.tif 000008
【図８】
0005040492.tif 000009
【図９】
0005040492.tif 000010
【図１０】
0005040492.tif 000011
【図１１】
0005040492.tif 000012
【図１２】
0005040492.tif 000013